(57)【要約】 【課題】  プライバシを確保した上で、相手の都合のよいタイミングで通知し、番号変更の情報を確実に認知してもらえる番号変更通知方法を提供する。【解決手段】  旧電話番号宛てに発信された電話に対し、発信者番号があらかじめ登録してある番号の場合に限り、新電話番号を通知する。第１の番号変更通知用記憶部１２２を参照して、着信先番号１７４に基づいて着信通知先１７６を取得し、発信者番号及び着信先番号１７２を該着信通知先１７６に送信する。第２の番号変更通知用記憶部１２４を参照して、着信先番号１７４に基づいて変更通知先１７８を取得し、発信者番号が該変更通知先１７８に含まれていれば、第２の番号変更通知用記憶部１２４を参照して、着信先番号１７４に基づいて新電話番号１８０を取得する。前記新電話番号１８０を予め用意された音声案内メッセージに組込み、前記発信に対する応答として第３の電話機１１６に送信する。【選択図】図１１
2006279138.tif 000002
【特許請求の範囲】
【請求項１】
通信端末、第１の装置、及び第２の装置が通信ネットワークを介して接続されてなる番号変更通知システムであって、
前記第１の装置は、
前記通信端末から発信者番号及び着信先番号を取得する着信受付け部と、
旧番号と着信通知先とを対応付けて格納した第１の番号変更通知用記憶部と、
前記第１の番号変更通知用記憶部を参照して、前記着信受付け部で取得した前記着信先番号に基づいて前記着信通知先を取得する着信通知先取得部と、
前記取得した着信通知先に前記発信者番号及び前記着信先番号を含む着信通知を送信する着信通知送信部と
を備え、
前記第２の装置は、
前記第１の装置から前記着信通知を受信する着信通知受信部と、
前記旧番号、新番号を含む通知情報、及び変更通知先をそれぞれ対応付けて格納した第２の番号変更通知用記憶部と、
前記第２の番号変更通知用記憶部を参照して、前記受信した着信通知に含まれる前記着信先番号に基づいて変更通知先を取得する変更通知先取得部と、
前記受信した着信通知に含まれる前記発信者番号が前記取得した変更通知先に含まれていれば、前記第２の番号変更通知用記憶部を参照して、前記着信先番号に基づいて前記通知情報を取得する通知情報取得部と、
前記通知情報を前記通信端末に向けて送信する番号変更通知部と
を備えたことを特徴とする番号変更通知システム。
【請求項２】
通信端末から発信者番号及び着信先番号を取得する第１の装置に通信ネットワークを介して接続される番号変更通知装置であって、
前記第１の装置から前記発信者番号及び前記着信先番号を含む着信通知を受信する着信通知受信部と、
旧番号、新番号を含む通知情報、及び変更通知先をそれぞれ対応付けて格納した番号変更通知用記憶部と、
前記番号変更通知用記憶部を参照して、前記受信した着信通知に含まれる前記着信先番号に基づいて変更通知先を取得する変更通知先取得部と、
前記受信した着信通知に含まれる前記発信者番号が前記取得した変更通知先に含まれていれば、前記番号変更通知用記憶部を参照して、前記着信先番号に基づいて前記通知情報を取得する通知情報取得部と、
前記通知情報を前記通信端末に向けて送信する番号変更通知部と
を備えたことを特徴とする番号変更通知装置。
【請求項３】
通信端末、第１の装置及び第２の装置が通信ネットワークを介して接続されてなるシステムにおける番号変更通知方法であって、
前記第１の装置に、
前記通信端末から発信者番号及び着信先番号を取得する着信受付けステップと、
旧番号と着信通知先とを対応付けて格納した第１の番号変更通知用記憶部を参照して、前記着信受付けステップで取得した前記着信先番号に基づいて該着信通知先を取得する着信通知先取得ステップと、
前記取得した着信通知先に前記発信者番号及び前記着信先番号を含む着信通知を送信する着信通知送信ステップと、
を実行させ、
前記第２の装置に、
前記第１の装置から前記着信通知を受信する着信通知受信ステップと、
前記旧番号、新番号を含む通知情報、及び変更通知先をそれぞれ対応付けて格納した第２の番号変更通知用記憶部を参照して、前記受信した着信通知に含まれる前記着信先番号に基づいて変更通知先を取得する変更通知先取得ステップと、
前記受信した着信通知に含まれる前記発信者番号が前記取得した変更通知先に含まれていれば、前記第２の番号変更通知用記憶部を参照して、前記着信先番号に基づいて前記通知情報を取得する通知情報取得ステップと、
前記通知情報を前記通信端末に向けて送信する番号変更通知ステップと
を実行させることを特徴とする番号変更通知方法。
【請求項４】
通信端末に通信ネットワークを介して接続される番号変更通知装置であって、
前記通信端末から発信者番号及び着信先番号を取得する着信受付け部と、
旧番号、新番号を含む通知情報、及び変更通知先をそれぞれ対応付けて格納した番号変更通知用記憶部と、
前記番号変更通知用記憶部を参照して、前記取得した着信先番号に基づいて変更通知先を取得する変更通知先取得部と、
前記取得した発信者番号が前記取得した変更通知先に含まれていれば、前記番号変更通知用記憶部を参照して、前記着信先番号に基づいて前記通知情報を取得する通知情報取得部と、
前記通知情報を前記通信端末に向けて送信する番号変更通知部と
を備えたことを特徴とする番号変更通知装置。
【請求項５】
通信端末に通信ネットワークを介して接続される装置における番号変更通知方法であって、
前記通信端末から発信者番号及び着信先番号を取得する着信受付けステップと、
旧番号、新番号を含む通知情報、及び変更通知先をそれぞれ対応付けて格納した番号変更通知用記憶部を参照して、前記取得した着信先番号に基づいて変更通知先を取得する変更通知先取得ステップと、
前記取得した発信者番号が前記取得した変更通知先に含まれていれば、前記番号変更通知用記憶部を参照して、前記着信先番号に基づいて前記通知情報を取得する通知情報取得ステップと、
前記通知情報を前記通信端末に向けて送信する番号変更通知ステップと
を実行することを特徴とする番号変更通知方法。
【発明の詳細な説明】
【技術分野】
【０００１】
本発明は、電話サービスに係り、特に電話番号の変更を通知する方法に関する。
【背景技術】
【０００２】
携帯電話機の契約会社の変更に伴い、あるいは、いたずら電話やストーカからの被害を避ける目的で、電話番号を変更した場合、新電話番号を知人に通知する必要がある。この通知の方法として従来は２つの方法があった。
【０００３】
従来の第１の番号変更通知方法は、旧電話番号にかかってきた電話すべてに対して新電話番号を教える方法である。誰かが旧電話番号宛に電話をかけると、契約会社がこれを受けて新電話番号を通知する。契約会社を変更した場合は、旧契約会社がこのサービスを提供し、旧電話番号にかかってきた電話に対して新契約会社の新電話番号を通知する。
【０００４】
従来の第２の番号変更通知方法は、知人一人一人に通知することである。郵便、電話、ＦＡＸ、電子メール等の手段で通知することになるが、電子メールによる一斉通知を契約会社（契約会社変更の場合は新契約会社）に依頼することもできる。
【０００５】
非特許文献１の第５頁には「考えられるお客様利便性向上のための機能（１）」として従来の第１の番号変更通知方法の事例が記載されており、非特許文献１の第６頁には「考えられるお客様利便性向上のための機能（２）」として従来の第２の番号変更通知方法の事例が記載されている。
【非特許文献１】“携帯電話の番号ポータビリティの在り方に関するドコモの考え方”、［online］、平成15年12月16日、株式会社エヌ・ティ・ティ・ドコモ、［平成17年３月９日検索］、インターネット<URL: http://www.soumu.go.jp/s-news/2003/pdf/031215_1_s15.pdf>
【発明の開示】
【発明が解決しようとする課題】
【０００６】
図１〜図９を用いて、従来の番号変更通知方法の問題点について説明する。
【０００７】
図１は電話機と交換機の関係を示す図である。
【０００８】
番号変更者は、これまで第１の携帯電話会社と契約を結び第１の電話機１２を使用していたが、この契約を解約し、新たに第２の携帯電話会社と契約を結び第２の電話機１４を使用している。番号変更者の知人は第３の携帯電話会社と契約を結び第３の電話機１６を使用している。ここで第３の携帯電話会社は、第１の携帯電話会社あるいは第２の携帯電話会社と同一であってもよい。第１の交換機１は第１の携帯電話会社の運営下にあり、第１の電話機１２の電話番号を管理する。第２の交換機３は第２の携帯電話会社の運営下にあり、第２の電話機１４の電話番号を管理する。第３の交換機６は第３の携帯電話会社の運営下にあり、第３の電話機１６の電話番号を管理する。
【０００９】
図２は従来の第１の番号変更通知方法における電話機と交換機の関係を示す図である。従来の第１の番号変更通知方法では、第１の交換機２が番号変更通知サービスを提供する。図３は従来の第１の番号変更通知方法における第１の交換機２の概略構成を示すブロック図であり、図４は従来の第１の番号変更通知方法における第１の交換機２のフローチャートである。
【００１０】
あらかじめ番号変更者から第１の携帯電話会社に対して番号変更通知用データが渡され、第１の交換機２が管理する番号変更通知用記憶部２２に記憶される。番号変更通知用記憶部２２には、たとえば図５のような構成で番号変更通知用データが記憶される。ここで、顧客番号は番号変更者を一意に識別するための情報であり、旧電話番号は番号変更者の変更前の電話番号であって番号変更者の知人から電話がかかってくるときの着信先番号となるものであり、新電話番号は番号変更者の変更後の電話番号であって番号変更者の知人に通知すべき情報となるものであり、通知開始日は番号変更通知サービスの開始日であり、通知終了日は番号変更通知サービスの終了日である。
【００１１】
番号変更者の知人が第３の電話機１６から番号変更者の旧電話番号宛に発信すると、第３の交換機６を介して第１の交換機２に着信する。第１の交換機２は番号変更通知用記憶部２２を参照して、着信先番号７４に基づいて新電話番号８０を取得し通知する。
【００１２】
従来の第１の番号変更通知方法の場合、旧電話番号にかけてきた人には誰にでも新電話番号を教えてしまうのでプライバシ上の問題があり、特に、ストーカ対策で電話番号を変えた場合には、この方法は採用できない。
【００１３】
図６は従来の第２の番号変更通知方法における電話機と交換機の関係を示す図である。従来の第２の番号変更通知方法では、第２の交換機４が番号変更通知サービスを提供する。図７は従来の第２の番号変更通知方法における第２の交換機４の概略構成を示すブロック図であり、図８は従来の第２の番号変更通知方法における第２の交換機４のフローチャートである。
【００１４】
あらかじめ番号変更者から第２の携帯電話会社に対して番号変更通知用データが渡され、第２の交換機４が管理する番号変更通知用記憶部２４に記憶される。番号変更通知用記憶部２４には、たとえば図９のような構成で番号変更通知用データが記憶される。ここで、顧客番号は番号変更者を一意に識別するための情報であり、通知文ポインタは番号変更者の知人に携帯メールで送信する通知文へのポインタであり、変更通知先ポインタは通知先メールアドレスのリストである変更通知先へのポインタである。通知文は新電話番号及び新メールアドレスの情報を含むテキストであり、通知先メールアドレスは番号変更を通知すべき知人の携帯メールアドレスである。
【００１５】
第２の交換機４は、番号変更通知用記憶部２４の情報に従って、各通知先メールアドレスに対して携帯メールにて通知文を送信する。
【００１６】
従来の第２の番号変更通知方法の場合、送信したメールを相手が読むとは限らないし、相手が忙しければ、読んでもそのまま忘れてしまう可能性もある。また、相手のメールアドレスが変更されその旧メールアドレスが別人のメールアドレスとなっている場合、それに気づかずに送信すると意図せぬ相手に通知する結果となりプライバシ上の問題がある。
【００１７】
本発明が解決しようとする課題は、プライバシを確保した上で、相手の都合のよいタイミングで通知し、番号変更の情報を確実に認知してもらえる番号変更通知方法を提供することである。
【課題を解決するための手段】
【００１８】
前記課題を解決するために、本発明では、旧電話番号にかかってきた電話に対し、発信者番号があらかじめ登録してある番号の場合に限り、新電話番号を通知する。
【００１９】
本発明の基本思想は、通知すべき相手がわかっているにも関わらず、敢えてこちらからは通知せず、相手からの連絡を待って、そのタイミングで通知するというものである。
【００２０】
このため、本発明にかかる番号変更通知方法は、特定着信先番号への接続要求を受付けて発信者番号及び着信先番号を取得する着信受付けステップと、着信先番号があらかじめ登録してある番号変更通知処理の対象となる番号であれば変更通知先を取得する変更通知先取得ステップと、発信者番号が変更通知先に含まれていれば、通知すべき情報を取得する通知情報取得ステップと、通知情報を送信する番号変更通知ステップとを実行することを特徴とする。
【００２１】
番号変更者の旧電話番号が番号変更通知処理の対象として登録されており、旧電話番号に対応付けて番号変更者の知人の電話番号のリストである変更通知先、及び新電話番号を含む通知情報が登録されている。
【００２２】
番号変更者の知人が番号変更者の旧電話番号に発信すると、番号変更通知システムはこれを受けて、発信者番号として番号変更者の知人の電話番号を取得し、着信先番号として番号変更者の旧電話番号を取得し、着信先番号が番号変更通知処理の対象として登録されていれば、着信先番号に基づいて変更通知先を取得し、発信者番号が変更通知先に含まれていれば、着信先番号に基づいて通知情報を取得して送信する。
【発明の効果】
【００２３】
本発明によれば、番号変更者があらかじめ登録した番号の発信者であって、さらに当該発信者が発信してきたとき、すなわち該発信者が番号変更者と連絡をとりたいときに連絡先の変更を通知する。したがって、番号変更者が番号変更を伝えたい知人にだけ新番号を通知するためプライバシ上の問題がなく、通知タイミングとしては知人にとって最良であり、番号変更の情報を確実に認知してもらえる番号変更通知方法を提供することができる。
【発明を実施するための最良の形態】
【００２４】
［第１の実施形態］
図１０〜図１４に基づいて、本発明にかかる番号変更通知方法の第１の実施形態について説明する。
【００２５】
図１０は第１の実施形態にかかる番号変更通知方法における電話機と交換機の関係を示す図である。本実施形態にかかる番号変更通知方法では、第１の交換機１０２と第２の交換機１０４が連携して番号変更通知サービスを提供する。図１１は第１の実施形態にかかる番号変更通知方法における第１の交換機１０２及び第２の交換機１０４の概略構成を示すブロック図であり、図１２は第１の実施形態にかかる番号変更通知方法における第１の交換機１０２のフローチャートであり、図１３は第１の実施形態にかかる番号変更通知方法における第２の交換機１０４のフローチャートである。
【００２６】
本実施形態にかかる番号変更通知方法は、旧電話番号への接続要求を旧契約会社の運営する交換機で受付け、新契約会社の運営する交換機に通知し、新契約会社の運営する交換機で発信者の電話番号が変更通知先に含まれていれば、発信者の電話機に音声で新電話番号を送信するように構成したものである。
【００２７】
あらかじめ番号変更者から、あるいは第２の携帯電話会社から第１の携帯電話会社に対して第１の番号変更通知用データが渡され、第１の交換機１０２が管理する第１の番号変更通知用記憶部１２２に記憶される。第１の番号変更通知用記憶部１２２には、たとえば図１４（１）のような構成で第１の番号変更通知用データが記憶される。ここで、顧客番号は番号変更者を一意に識別するための情報であり、旧電話番号は番号変更者の変更前の電話番号であって番号変更者の知人から電話がかかってくるときの着信先番号となるものであり、着信通知先は旧電話番号への接続要求がきたことを通知する相手、すなわち番号変更者の新契約会社を示す情報であり、通知開始日は番号変更通知サービスの開始日であり、通知終了日は番号変更通知サービスの終了日である。着信通知先としては、たとえば番号変更者の新契約会社が第２の携帯電話会社である場合、第２の携帯電話会社のコードあるいは新電話番号を管理する第２の交換機１０４を指定する情報等が記述されるが、これに限定するものではなく、何らかの形で通知先が特定される情報であればよい。なお、第１の番号変更通知用記憶部１２２に記憶される第１の番号変更通知用データのデータ構成は図１４（１）の構成に限定するものではなく、旧電話番号及び着信通知先が含まれていれば、如何様の構成をとってもよい。
【００２８】
またあらかじめ番号変更者から第２の携帯電話会社に対して第２の番号変更通知用データが渡され、第２の交換機１０４が管理する第２の番号変更通知用記憶部１２４に記憶される。第２の番号変更通知用記憶部１２４には、たとえば図１４（２）のような構成で第２の番号変更通知用データが記憶される。ここで、顧客番号及び旧電話番号は図１４（１）と同様の情報であり、新電話番号は番号変更者の変更後の電話番号であって番号変更者の知人に通知すべき情報となるものであり、変更通知先ポインタは通知先電話番号のリストである変更通知先へのポインタである。通知先電話番号は番号変更を通知すべき知人の電話番号である。なお、第２の番号変更通知用記憶部１２４に記憶される第２の番号変更通知用データのデータ構成は図１４（２）の構成に限定するものではなく、旧電話番号、新電話番号、及び通知先電話番号が含まれていれば、如何様の構成をとってもよい。
【００２９】
番号変更者の知人が第３の電話機１１６から番号変更者の旧電話番号宛に発信すると、第３の交換機１０６を介して第１の交換機１０２に着信する。
【００３０】
着信受付け部１３２は、接続要求を受付けて発信者番号及び着信先番号１７２（図中では「発信者番号、着信先番号１７２」と記載）を取得し着信通知送信部１３６に出力するとともに、着信通知先取得部１３４に着信先番号１７４を出力する（Ｓ１３２）。
【００３１】
着信通知先取得部１３４は、第１の番号変更通知用記憶部１２２を参照して、着信先番号１７４に基づいて着信通知先１７６を取得し、着信通知送信部１３６に出力する（Ｓ１３４）。
【００３２】
着信通知送信部１３６は、着信通知先１７６に基づいて第２の交換機１０４に対して発信者番号及び着信先番号１７２を含む着信通知を送信する（Ｓ１３６）。
【００３３】
着信通知受信部１３８は、第１の交換機１０２からの着信通知を受信し、発信者番号及び着信先番号１７２を通知情報取得部１４４に出力するとともに、着信先番号１７４を変更通知先取得部１４０に出力する（Ｓ１３８）。
【００３４】
変更通知先取得部１４０は、第２の番号変更通知用記憶部１２４を参照して、着信先番号１７４に基づいて変更通知先１７８を取得し通知情報取得部１４４に出力する（Ｓ１４０）。
【００３５】
通知情報取得部１４４は、発信者番号が変更通知先１７８に含まれていれば、第２の番号変更通知用記憶部１２４を参照して、着信先番号１７４に基づいて新電話番号１８０を取得し番号変更通知部１４６に出力する（Ｓ１４４）。
【００３６】
番号変更通知部１４６は、新電話番号１８０をあらかじめ用意された音声案内メッセージに組込み、前記発信に対する応答として第３の交換機１０６を経由して第３の電話機１１６に送信する（Ｓ１４６）。
【００３７】
本実施形態にかかる発明によれば、音声にて番号変更通知を行うため、発信者の電話機種別によらず、番号変更通知を行うことができる。
［第２の実施形態］
図１５〜図１７に基づいて、本発明にかかる番号変更通知方法の第２の実施形態について説明する。なお、第１の実施形態で説明した構成等については、同じ参照符号を付し、その説明を省略する。
【００３８】
本実施形態にかかる番号変更通知方法においても、図１０の関係が成立し、第１の交換機１０２と第２の交換機１０４が連携して番号変更通知サービスを提供する。ただし、本実施形態の説明においては、第２の交換機１０４の代わりに第２の交換機２０４として説明する。また、第２の番号変更通知用記憶部１２４の代わりに第２の番号変更通知用記憶部２２４として説明する。図１５は第２の実施形態にかかる番号変更通知方法における第１の交換機１０２及び第２の交換機２０４の概略構成を示すブロック図であり、図１６は第２の実施形態にかかる番号変更通知方法における第２の交換機２０４のフローチャートである。なお、第１の交換機１０２のフローチャートは第１の実施形態と同じく図１２である。
【００３９】
本実施形態にかかる番号変更通知方法は、第１の実施形態にかかる番号変更通知方法において、音声による番号変更通知だけでなく、携帯メールによる番号変更通知も行うように構成したものである。
【００４０】
あらかじめ番号変更者から第２の携帯電話会社に対して第２の番号変更通知用データが渡され、第２の交換機２０４が管理する第２の番号変更通知用記憶部２２４に記憶される。第２の番号変更通知用記憶部２２４には、たとえば図１７（２）のような構成で第２の番号変更通知用データが記憶される。ここで、顧客番号、旧電話番号、新電話番号、及び通知先電話番号は図１４（２）と同様の情報であり、通知文ポインタは番号変更者の知人に携帯メールで送信する通知文へのポインタであり、変更通知先ポインタは通知先電話番号及び通知先メールアドレスのリストである変更通知先へのポインタである。通知文は新電話番号及び新メールアドレスの情報を含むテキストであり、通知先メールアドレスは番号変更を通知すべき知人の携帯メールアドレスである。なお、第２の番号変更通知用記憶部２２４に記憶される第２の番号変更通知用データのデータ構成は図１７（２）の構成に限定するものではなく、旧電話番号、新電話番号、通知文、通知先電話番号、及び通知先メールアドレスが含まれていれば、如何様の構成をとってもよい。また通知文の代わりに番号変更者の新メールアドレスを含む構成とし、新電話番号及び新メールアドレスを基に通知文を作成して送信することとしてもよい。
【００４１】
番号変更者の知人が第３の電話機１１６から番号変更者の旧電話番号宛に発信すると、第３の交換機１０６を介して第１の交換機１０２に着信する。
【００４２】
通知先アドレス取得部２４２は、変更通知先２７８を参照して、発信者番号に基づいて通知先メールアドレス２８４を取得し番号変更通知部２４６に出力するとともに、着信先番号１７４を通知情報取得部２４４に出力する（Ｓ２４２）。
【００４３】
通知情報取得部２４４は、第２の番号変更通知用記憶部２２４を参照して、着信先番号１７４に基づいて新電話番号及び通知文２８０（図中では「新電話番号、通知文２８０」と記載）を取得し番号変更通知部２４６に出力する（Ｓ２４４）。
【００４４】
番号変更通知部２４６は、新電話番号をあらかじめ用意された音声案内メッセージに組込み、前記発信に対する応答として第３の交換機１０６を経由して第３の電話機１１６に送信するとともに、通知先メールアドレス２８４に対して、通知文を携帯メールにて送信する（Ｓ２４６）。
【００４５】
本実施形態の説明では、携帯メールによる番号変更通知として説明したが、これに限定するものではなく、何らかの形でテキスト情報による番号変更通知を行うことを意図したものである。たとえば、通知相手の携帯電話機上で動作する番号変更通知プログラムを用意し、このプログラムをあらかじめ通知相手の携帯電話機上に搭載しておいて番号変更通知時にこのプログラムを起動し、番号変更通知情報を送り込むことによって通知相手の携帯電話機上に表示させてもよい。あるいは、番号変更通知情報と共にこのプログラムを通知相手の携帯電話機に送信し、番号変更通知情報を表示させてもよい。この場合、プログラムの送信はメール添付にて、あるいは特別の通信プロトコルに従って行う。さらには、インターネットを利用した番号変更通知を行うこともできる。すなわち、番号変更通知情報を特定のwebサーバ上に置き、そのURLを通知相手の携帯電話機に通知して携帯電話機のブラウザにてアクセスさせ、番号変更通知情報を表示させる等である。
【００４６】
本実施形態の説明では、音声による番号変更通知と携帯メールによる（あるいは広くテキスト情報による）番号変更通知の両方を行うとして説明したが、これに限定するものではなく、音声による番号変更通知を行わず、携帯メールによる（あるいは広くテキスト情報による）番号変更通知のみを行ってもよい。
【００４７】
本実施形態にかかる発明によれば、音声による番号変更通知に加えてテキスト情報による番号変更通知も行うため、より確実な情報伝達を可能とし、また、音声通知では伝達しにくいメールアドレスの変更も容易に伝達することができる。また、テキスト情報による番号変更通知を行う旨を音声通知に加えれば、番号変更通知のテキスト情報をさらにより確実に読んでもらうことができる。
［第３の実施形態］
図１８〜図２１に基づいて、本発明にかかる番号変更通知方法の第３の実施形態について説明する。なお、第１の実施形態で説明した構成等については、同じ参照符号を付し、その説明を省略する。
【００４８】
図１８は第３の実施形態にかかる番号変更通知方法における電話機と交換機の関係を示す図であり、図１０における第１の交換機１０２と第２の交換機１０４が同一の場合を示している。すなわち、本実施形態にかかる番号変更通知方法は、番号変更者が契約会社を変更することなく、同一の携帯電話会社のまま、電話番号の変更を行った場合の番号変更通知方法を示すものである。図１９は第３の実施形態にかかる番号変更通知方法における第１の交換機３０２の概略構成を示すブロック図であり、図２０は第３の実施形態にかかる番号変更通知方法における第１の交換機３０２のフローチャートである。
【００４９】
本実施形態にかかる番号変更通知方法は、第１の交換機が旧電話番号への接続要求を受付け、発信者の電話番号が変更通知先に含まれていれば、発信者の電話機に音声で新電話番号を送信するように構成したものである。
【００５０】
あらかじめ番号変更者から第１の携帯電話会社に対して番号変更通知用データが渡され、第１の交換機３０２が管理する番号変更通知用記憶部３２２に記憶される。番号変更通知用記憶部３２２には、たとえば図２１のような構成で番号変更通知用データが記憶される。ここで、顧客番号、旧電話番号、新電話番号、変更通知先ポインタ、及び通知先電話番号は図１４（２）と同様の情報であり、通知開始日及び通知終了日は図１４（１）と同様の情報である。なお、番号変更通知用記憶部３２２に記憶される番号変更通知用データのデータ構成は図２１の構成に限定するものではなく、旧電話番号、新電話番号、及び通知先電話番号が含まれていれば、如何様の構成をとってもよい。
【００５１】
番号変更者の知人が第３の電話機１１６から番号変更者の旧電話番号宛に発信すると、第３の交換機１０６を介して第１の交換機３０２に着信する。
【００５２】
着信受付け部３３２は、接続要求を受付けて発信者番号及び着信先番号１７２を取得し通知情報取得部３４４に出力するとともに、着信先番号１７４を変更通知先取得部３４０に出力する（Ｓ３３２）。
【００５３】
変更通知先取得部３４０は、番号変更通知用記憶部３２２を参照して、着信先番号１７４に基づいて変更通知先１７８を取得し通知情報取得部３４４に出力する（Ｓ３４０）。
【００５４】
通知情報取得部３４４は、発信者番号が変更通知先１７８に含まれていれば、番号変更通知用記憶部３２２を参照して、着信先番号１７４に基づいて新電話番号１８０を取得し、番号変更通知部１４６に出力する（Ｓ３４４）。
【００５５】
本実施形態にかかる発明によれば、音声にて番号変更通知を行うため、発信者の電話機種別によらず、番号変更通知を行うことができる。
【００５６】
なお、本実施形態にかかる発明は、図１８のように契約会社を変更しない場合として説明したが、図２のような関係でも実施可能である。すなわち、契約会社の変更により電話番号が変わった場合に、旧契約会社が単独で番号変更通知サービスを提供するものである。この場合、あらかじめ番号変更者から第１の携帯電話会社に対して渡される番号変更通知用データは、番号変更者から直接渡してもよいし、第２の携帯電話会社を経由して渡してもよい。この場合、本実施形態にかかる発明によれば、番号変更者が契約会社を変更したときでも、一社の交換機のみで番号変更通知サービスを完結することができる。
［第４の実施形態］
図２２〜図２４に基づいて、本発明にかかる番号変更通知方法の第４の実施形態について説明する。なお、第１乃至第３の実施形態で説明した構成等については、同じ参照符号を付し、その説明を省略する。
【００５７】
本実施形態にかかる番号変更通知方法においても、図１８の関係が成立し、第１の交換機３０２が番号変更通知サービスを提供する。ただし、本実施形態の説明においては、第１の交換機３０２の代わりに第１の交換機４０２として説明する。また、番号変更通知用記憶部３２２の代わりに番号変更通知用記憶部４２２として説明する。図２２は第４の実施形態にかかる番号変更通知方法における第１の交換機４０２の概略構成を示すブロック図であり、図２３は第４の実施形態にかかる番号変更通知方法における第１の交換機４０２のフローチャートである。
【００５８】
本実施形態にかかる番号変更通知方法は、第３の実施形態にかかる番号変更通知方法において、音声による番号変更通知だけでなく、携帯メールによる番号変更通知も行うように構成したものである。
【００５９】
あらかじめ番号変更者から第１の携帯電話会社に対して番号変更通知用データが渡され、第１の交換機４０２が管理する番号変更通知用記憶部４２２に記憶される。番号変更通知用記憶部４２２には、たとえば図２４のような構成で番号変更通知用データが記憶される。ここで、顧客番号、通知文ポインタ、通知文、旧電話番号、新電話番号、変更通知先ポインタ、通知先電話番号、及び通知先メールアドレスは図１７（２）と同様の情報であり、通知開始日及び通知終了日は図１７（１）と同様の情報である。なお、番号変更通知用記憶部４２２に記憶される番号変更通知用データのデータ構成は図２４の構成に限定するものではなく、旧電話番号、新電話番号、通知文、通知先電話番号、及び通知先メールアドレスが含まれていれば、如何様の構成をとってもよい。また通知文の代わりに番号変更者の新メールアドレスを含む構成とし、新電話番号及び新メールアドレスを基に通知文を作成して送信することとしてもよい。
【００６０】
通知先アドレス取得部４４２は、変更通知先２７８を参照して、発信者番号に基づいて通知先メールアドレス２８４を取得し、番号変更通知部２４６に出力するとともに、着信先番号１７４を通知情報取得部２４４に出力する（Ｓ４４２）。
【００６１】
本実施形態は、第２の実施形態と同様、携帯メールによる番号変更通知に限定するものではなく広くテキスト情報による番号変更通知を行うことを意図したものであり、また、音声による番号変更通知を行わず携帯メールによる（あるいは広くテキスト情報による）番号変更通知のみを行ってもよい。
【００６２】
本実施形態にかかる発明の特有の効果は、第２の実施形態にかかる発明と同様、より確実な情報伝達を可能とすることである。
【００６３】
本実施形態にかかる発明は、第３の実施形態にかかる発明と同様、図２のような関係でも実施可能であり、この場合は、番号変更者が契約会社を変更したときでも、一社の交換機のみで番号変更通知サービスを完結することができるという特有の効果を有する。
［第１の参考例］
図２５及び図２６に基づいて、本発明にかかる番号変更通知方法の第１の参考例について説明する。なお、第１の実施形態で説明した構成等については、同じ参照符号を付し、その説明を省略する。
【００６４】
本参考例にかかる番号変更通知方法においても、図１０の関係が成立し、第１の交換機１０２と第２の交換機１０４が連携して番号変更通知サービスを提供する。ただし、本参考例の説明においては、第２の交換機１０４の代わりに第２の交換機５０４として説明する。図２５は第１の参考例にかかる番号変更通知方法における第１の交換機１０２及び第２の交換機５０４の概略構成を示すブロック図であり、図２６は第１の参考例にかかる番号変更通知方法における第２の交換機５０４のフローチャートである。なお、第１の交換機１０２のフローチャートは第１の実施形態と同じく図１２である。
【００６５】
本参考例にかかる番号変更通知方法は、第１の実施形態にかかる番号変更通知方法において、番号変更通知に加え、発信者の希望に応じて新電話番号への接続も行うように構成したものである。
【００６６】
通知情報取得部５４４は、第２の番号変更通知用記憶部１２４を参照して取得した新電話番号１８０を着信先変更部５４８にも出力する。通知情報取得部５４４のその他の処理は、第１の実施形態における通知情報取得部１４４と同様である（Ｓ５４４）。
【００６７】
番号変更通知部５４６の処理は、第１の実施形態における番号変更通知部１４６と同様であるが、第３の交換機１０６を経由して第３の電話機１１６に送信する音声案内メッセージには、新電話番号１８０への接続要否を問合せ、接続を希望する場合の意志表示の方法（たとえば、数字ボタン１を押す等）を通知する内容も含む（Ｓ５４６）。
【００６８】
着信先変更部５４８は、第３の電話機１１６が新電話番号１８０への接続を希望する意志表示をしている場合に、新電話番号１８０を持つ第２の電話機１１４に対して呼接続処理を行う（Ｓ５４８）。
【００６９】
本参考例にかかる発明によれば、旧電話番号にかけても、かけ直すことなく新番号に接続されるため、発信者の手間を節約することができる。
［第２の参考例］
図２７及び図２８に基づいて、本発明にかかる番号変更通知方法の第２の参考例について説明する。なお、第１及び第２の実施形態で説明した構成等については、同じ参照符号を付し、その説明を省略する。
【００７０】
本参考例にかかる番号変更通知方法においても、図１０の関係が成立し、第１の交換機１０２と第２の交換機１０４が連携して番号変更通知サービスを提供する。ただし、本参考例の説明においては、第２の交換機１０４の代わりに第２の交換機２０４とし、第２の番号変更通知用記憶部１２４の代わりに第２の番号変更通知用記憶部２２４として説明する。また、第３の電話機１１６の代わりに第３の電話機６１６として説明する。図２７は第２の参考例にかかる番号変更通知方法における第１の交換機１０２、第２の交換機２０４、及び第３の電話機６１６の概略構成を示すブロック図であり、図２８は第２の参考例にかかる番号変更通知方法における第３の電話機６１６のフローチャートである。なお、第１の交換機１０２のフローチャートは第１の実施形態と同じく図１２であり、第２の交換機２０４のフローチャートは第２の実施形態と同じく図１６である。
【００７１】
本参考例にかかる番号変更通知方法は、第２の実施形態にかかる番号変更通知方法において、携帯メールによる番号変更通知に加え、発信者の希望に応じて発信者の携帯電話機のアドレス帳に登録されている番号変更者の電話番号及びメールアドレスを更新するように構成したものである。
【００７２】
発信者の携帯電話機上で動作するアドレス帳の自動更新プログラムを用意し、番号変更通知時にこのプログラムを起動し、アドレス帳の更新を行う。このプログラムはあらかじめ発信者の携帯電話機上に搭載しておいてもよいし、番号変更通知のメールに添付して送信してもよいし、webサイトからダウンロードされるように構成してもよい。
【００７３】
番号変更の通知文には、アドレス帳の自動更新の要否を問合せ、更新を希望する場合の意志表示の方法（たとえば、数字ボタン１を押す等）を通知する内容も含む。
【００７４】
電話発信部６５０は、発信者番号及び着信先番号１７２を伴った発信要求を第３の交換機１０６に送信する（Ｓ６５０）。
【００７５】
第３の交換機１０６は、着信先番号を基に第１の交換機１０２に接続要求を送信し、第２の交換機２０４から受信した音声による番号変更通知６８６（図中では「番号変更通知（音声）６８６」と記載）及びメールによる番号変更通知６８８（図中では「番号変更通知（メール）６８８」と記載）を第３の電話機６１６に送信する。
【００７６】
音声受信部６５２は、第３の交換機１０６から音声による番号変更通知６８６を受信する（Ｓ６５２）。
【００７７】
メール受信部６５４は、第３の交換機１０６からメールによる番号変更通知６８８を受信しアドレス帳更新部６５６に出力するとともに、第３の電話機６１６の画面に表示する（Ｓ６５４）。
【００７８】
アドレス帳更新部６５６は、発信者がアドレス帳更新を希望する意志表示をしている場合に、メールによる番号変更通知６８８に含まれる通知文から旧電話番号、新電話番号、旧メールアドレス、新メールアドレスを取得し、第３の電話機６１６上のアドレス帳から旧電話番号を検索して新電話番号に書換え、さらに第３の電話機６１６上のアドレス帳から旧メールアドレスを検索して新メールアドレスに書換える（Ｓ６５６）。
【００７９】
本参考例にかかる発明によれば、更新希望の意志表示をするだけで自動的にアドレス帳が更新されるため、発信者の手間を節約することができる。
［第３の参考例］
図２９及び図３０に基づいて、本発明にかかる番号変更通知方法の第３の参考例について説明する。なお、第１及び第２の実施形態で説明した構成等については、同じ参照符号を付し、その説明を省略する。
【００８０】
本参考例にかかる番号変更通知方法においても、図１０の関係が成立し、第１の交換機１０２と第２の交換機１０４が連携して番号変更通知サービスを提供する。ただし、本参考例の説明においては、第２の交換機１０４の代わりに第２の交換機７０４として説明する。また、第２の番号変更通知用記憶部１２４の代わりに第２の番号変更通知用記憶部２２４として説明する。図２９は第３の参考例にかかる番号変更通知方法における第１の交換機１０２及び第２の交換機７０４の概略構成を示すブロック図であり、図３０は第３の参考例にかかる番号変更通知方法における第２の交換機７０４のフローチャートである。なお、第１の交換機１０２のフローチャートは第１の実施形態と同じく図１２である。
【００８１】
本参考例にかかる番号変更通知方法は、第２の実施形態にかかる番号変更通知方法において、携帯メールによる番号変更通知の際に広告を掲載すべく、通知情報に広告文を加えるように構成したものである。
【００８２】
第２の携帯電話会社は、あらかじめ広告文のストック７５８（図中では「広告文ストック７５８」と記載）を用意しておく。
【００８３】
通知情報取得部７４４は、広告文のストック７５８から広告文７９０を取得し、新電話番号、通知文、及び広告文７８０（図中では「新電話番号、通知文、広告文７８０」と記載）を番号変更通知部７４６に出力する。通知情報取得部７４４のその他の処理は第２の実施形態の通知情報取得部２４４と同様である（Ｓ７４４）。
【００８４】
番号変更通知部７４６は、通知先メールアドレス２８４に対して、通知文及び広告文を携帯メールにて送信する。番号変更通知部７４６のその他の処理は第２の実施形態の番号変更通知部２４６と同様である（Ｓ７４６）。
【００８５】
本参考例によれば、番号変更通知の際に広告を掲載することにより、番号変更通知にかかる金銭的コストを広告掲載料で補うことができる。また、通知相手が特定されているため、通知相手のプロファイル情報が存在すれば、プロファイルに適合した広告文を選択することによって、より広告効果の高い広告を掲載することができる。
【００８６】
なお、上述した各実施形態にかかる番号変更通知方法は、ハードウェアによる実施が可能であるだけでなく、コンピュータのソフトウェアによる実施も可能である。例えば、第１の実施形態において、図１１に示した着信受付け部１３２、着信通知先取得部１３４、着信通知送信部１３６、着信通知受信部１３８、変更通知先取得部１４０、通知情報取得部１４４、及び番号変更通知部１４６の機能をコンピュータに実行させるプログラムを作成し、当該プログラムをコンピュータのメモリに読み込ませて実行させれば、図１１に示した番号変更通知システムを実現することができる。なお、第２の実施形態以降の方法についても同様に、コンピュータのソフトウェア（プログラム）により実現可能である。
【００８７】
本発明の実施形態にかかる番号変更通知方法を実現するプログラムは、図３１に示すように、ＣＤ−ＲＯＭやＣＤ−ＲＷ、ＤＶＤ−Ｒ、ＤＶＤ−ＲＡＭ、ＤＶＤ−ＲＷ等やフレキシブルディスク等の可搬型記録媒体８６２だけでなく、通信回線８６４の先に備えられた他の記憶装置８６６や、コンピュータシステム８６０のハードディスクやＲＡＭ等の記憶装置、記録媒体８６８のいずれに記憶されるものであってもよく、プログラム実行時には、プログラムはローディングされ、主メモリ上で実行される。
【００８８】
本発明の説明では、電話番号の番号変更通知方法として説明しているが、これに限定するものではない。たとえば、コンピュータネットワーク上でそれぞれ一意に特定可能な識別情報を持つ発信者及び着信者間で音声通信を行う場合、着信者の識別情報が変更されたことを通知する方法としても有効である。また、音声を伴わない通信にも適用可能である。たとえば、ＦＡＸ通信においてＦＡＸ番号の変更を通知する場合、旧ＦＡＸ番号への送信要求に対して発信者番号があらかじめ登録された変更通知先に含まれていれば、音声による番号変更通知に代えて、発信者番号に宛てて新ＦＡＸ番号をＦＡＸにて送信する。あるいは、電子メールのメールアドレスの変更通知の場合には、旧メールアドレスへの送信要求に対して、送信者のメールアドレスがあらかじめ登録された変更通知先に含まれていれば、音声による番号変更通知に代えて、送信者のメールアドレスに宛てて新メールアドレスを電子メールにて送信する。
【００８９】
以上の実施例を含む実施形態に関して、さらに以下の付記を開示する。
（付記１）
通信端末、第１の装置及び第２の装置が通信ネットワークを介して接続されてなる番号変更通知システムであって、
前記第１の装置は、
前記通信端末から発信者番号及び着信先番号を取得する着信受付け部と、
旧番号と着信通知先とを対応付けて格納した第１の番号変更通知用記憶部と、
前記第１の番号変更通知用記憶部を参照して、前記着信受付け部で取得した前記着信先番号に基づいて前記着信通知先を取得する着信通知先取得部と、
前記取得した着信通知先に前記発信者番号及び前記着信先番号を含む着信通知を送信する着信通知送信部と
を備え、
前記第２の装置は、
前記第１の装置から前記着信通知を受信する着信通知受信部と、
前記旧番号、新番号を含む通知情報、及び変更通知先をそれぞれ対応付けて格納した第２の番号変更通知用記憶部と、
前記第２の番号変更通知用記憶部を参照して、前記受信した着信通知に含まれる前記着信先番号に基づいて変更通知先を取得する変更通知先取得部と、
前記受信した着信通知に含まれる前記発信者番号が前記取得した変更通知先に含まれていれば、前記第２の番号変更通知用記憶部を参照して、前記着信先番号に基づいて前記通知情報を取得する通知情報取得部と、
前記通知情報を前記通信端末に向けて送信する番号変更通知部と
を備えたことを特徴とする番号変更通知システム。
（付記２）
通信端末から発信者番号及び着信先番号を取得する第１の装置に通信ネットワークを介して接続される番号変更通知装置であって、
前記第１の装置から前記発信者番号及び前記着信先番号を含む着信通知を受信する着信通知受信部と、
旧番号、新番号を含む通知情報、及び変更通知先をそれぞれ対応付けて格納した番号変更通知用記憶部と、
前記番号変更通知用記憶部を参照して、前記受信した着信通知に含まれる前記着信先番号に基づいて変更通知先を取得する変更通知先取得部と、
前記受信した着信通知に含まれる前記発信者番号が前記取得した変更通知先に含まれていれば、前記番号変更通知用記憶部を参照して、前記着信先番号に基づいて前記通知情報を取得する通知情報取得部と、
前記通知情報を前記通信端末に向けて送信する番号変更通知部と
を備えたことを特徴とする番号変更通知装置。
（付記３）
通信端末、第１の装置及び第２の装置が通信ネットワークを介して接続されてなるシステムにおける番号変更通知方法であって、
前記第１の装置に、
前記通信端末から発信者番号及び着信先番号を取得する着信受付けステップと、
旧番号と着信通知先とを対応付けて格納した第１の番号変更通知用記憶部を参照して、前記着信受付けステップで取得した前記着信先番号に基づいて該着信通知先を取得する着信通知先取得ステップと、
前記取得した着信通知先に前記発信者番号及び前記着信先番号を含む着信通知を送信する着信通知送信ステップと、
を実行させ、
前記第２の装置に、
前記第１の装置から前記着信通知を受信する着信通知受信ステップと、
前記旧番号、新番号を含む通知情報、及び変更通知先をそれぞれ対応付けて格納した第２の番号変更通知用記憶部を参照して、前記受信した着信通知に含まれる前記着信先番号に基づいて変更通知先を取得する変更通知先取得ステップと、
前記受信した着信通知に含まれる前記発信者番号が前記取得した変更通知先に含まれていれば、前記第２の番号変更通知用記憶部を参照して、前記着信先番号に基づいて前記通知情報を取得する通知情報取得ステップと、
前記通知情報を前記通信端末に向けて送信する番号変更通知ステップと
を実行させることを特徴とする番号変更通知方法。
（付記４）
通信端末から発信者番号及び着信先番号を取得する第１の装置に通信ネットワークを介して接続される第２の装置における番号変更通知方法であって、
前記第１の装置から前記発信者番号及び前記着信先番号を含む着信通知を受信する着信通知受信ステップと、
旧番号、新番号を含む通知情報、及び変更通知先をそれぞれ対応付けて格納した番号変更通知用記憶部を参照して、前記受信した着信通知に含まれる前記着信先番号に基づいて変更通知先を取得する変更通知先取得ステップと、
前記受信した着信通知に含まれる前記発信者番号が前記取得した変更通知先に含まれていれば、前記番号変更通知用記憶部を参照して、前記着信先番号に基づいて前記通知情報を取得する通知情報取得ステップと、
前記通知情報を前記通信端末に向けて送信する番号変更通知ステップと
を実行することを特徴とする番号変更通知方法。
（付記５）
通信端末、第１の装置及び第２の装置が通信ネットワークを介して接続されてなる番号変更通知システムにおけるコンピュータプログラムであって、
前記第１の装置に、
前記通信端末から発信者番号及び着信先番号を取得する着信受付けステップと、
旧番号と着信通知先とを対応付けて格納した第１の番号変更通知用記憶部を参照して、前記着信受付けステップで取得した前記着信先番号に基づいて該着信通知先を取得する着信通知先取得ステップと、
前記取得した着信通知先に前記発信者番号及び前記着信先番号を含む着信通知を送信する着信通知送信ステップと、
を実行させ、
前記第２の装置に、
前記第１の装置から前記着信通知を受信する着信通知受信ステップと、
前記旧番号、新番号を含む通知情報、及び変更通知先をそれぞれ対応付けて格納した第２の番号変更通知用記憶部を参照して、前記受信した着信通知に含まれる前記着信先番号に基づいて変更通知先を取得する変更通知先取得ステップと、
前記受信した着信通知に含まれる前記発信者番号が前記取得した変更通知先に含まれていれば、前記第２の番号変更通知用記憶部を参照して、前記着信先番号に基づいて前記通知情報を取得する通知情報取得ステップと、
前記通知情報を前記通信端末に向けて送信する番号変更通知ステップと
を実行させることを特徴とするコンピュータプログラム。
（付記６）
通信端末から発信者番号及び着信先番号を取得する第１の装置に通信ネットワークを介して接続される番号変更通知装置におけるコンピュータプログラムであって、
前記第１の装置から前記発信者番号及び前記着信先番号を含む着信通知を受信する着信通知受信ステップと、
旧番号、新番号を含む通知情報、及び変更通知先をそれぞれ対応付けて格納した番号変更通知用記憶部を参照して、前記受信した着信通知に含まれる前記着信先番号に基づいて変更通知先を取得する変更通知先取得ステップと、
前記受信した着信通知に含まれる前記発信者番号が前記取得した変更通知先に含まれていれば、前記番号変更通知用記憶部を参照して、前記着信先番号に基づいて前記通知情報を取得する通知情報取得ステップと、
前記通知情報を前記通信端末に向けて送信する番号変更通知ステップと
を実行することを特徴とするコンピュータプログラム。
（付記７）
通信端末に通信ネットワークを介して接続される番号変更通知装置であって、
前記通信端末から発信者番号及び着信先番号を取得する着信受付け部と、
旧番号、新番号を含む通知情報、及び変更通知先をそれぞれ対応付けて格納した番号変更通知用記憶部と、
前記番号変更通知用記憶部を参照して、前記取得した着信先番号に基づいて変更通知先を取得する変更通知先取得部と、
前記取得した発信者番号が前記取得した変更通知先に含まれていれば、前記番号変更通知用記憶部を参照して、前記着信先番号に基づいて前記通知情報を取得する通知情報取得部と、
前記通知情報を前記通信端末に向けて送信する番号変更通知部と
を備えたことを特徴とする番号変更通知装置。
（付記８）
通信端末に通信ネットワークを介して接続される装置における番号変更通知方法であって、
前記通信端末から発信者番号及び着信先番号を取得する着信受付けステップと、
旧番号、新番号を含む通知情報、及び変更通知先をそれぞれ対応付けて格納した番号変更通知用記憶部を参照して、前記取得した着信先番号に基づいて変更通知先を取得する変更通知先取得ステップと、
前記取得した発信者番号が前記取得した変更通知先に含まれていれば、前記番号変更通知用記憶部を参照して、前記着信先番号に基づいて前記通知情報を取得する通知情報取得ステップと、
前記通知情報を前記通信端末に向けて送信する番号変更通知ステップと
を実行することを特徴とする番号変更通知方法。
（付記９）
通信端末に通信ネットワークを介して接続される番号変更通知装置におけるコンピュータプログラムであって、
前記通信端末から発信者番号及び着信先番号を取得する着信受付けステップと、
旧番号、新番号を含む通知情報、及び変更通知先をそれぞれ対応付けて格納した番号変更通知用記憶部を参照して、前記取得した着信先番号に基づいて変更通知先を取得する変更通知先取得ステップと、
前記取得した発信者番号が前記取得した変更通知先に含まれていれば、前記番号変更通知用記憶部を参照して、前記着信先番号に基づいて前記通知情報を取得する通知情報取得ステップと、
前記通知情報を前記通信端末に向けて送信する番号変更通知ステップと
を実行することを特徴とするコンピュータプログラム。
（付記１０）
付記３及び付記８に記載の番号変更通知方法であって、
前記着信先番号を前記新番号に置換えて通信接続する着信先変更ステップ
をさらに実行することを特徴とする番号変更通知方法。
（付記１１）
付記３及び付記８に記載の番号変更通知方法であって、
前記発信者番号を伴って発信した通信端末に搭載されたアドレス帳から前記着信先番号を検索し、該検索された着信先番号を前記新番号に書換えるアドレス帳更新ステップ
をさらに実行することを特徴とする番号変更通知方法。
【図面の簡単な説明】
【００９０】
【図１】電話機と交換機の関係を示す図。
【図２】従来の第１の番号変更通知方法における電話機と交換機の関係を示す図。
【図３】従来の第１の番号変更通知方法における第１の交換機の概略構成を示すブロック図。
【図４】従来の第１の番号変更通知方法における第１の交換機のフローチャート
【図５】従来の第１の番号変更通知方法におけるデータ構成例
【図６】従来の第２の番号変更通知方法における電話機と交換機の関係を示す図
【図７】従来の第２の番号変更通知方法における第２の交換機の概略構成を示すブロック図
【図８】従来の第２の番号変更通知方法における第２の交換機のフローチャート
【図９】従来の第２の番号変更通知方法におけるデータ構成例
【図１０】第１の実施形態にかかる番号変更通知方法における電話機と交換機の関係を示す図
【図１１】第１の実施形態にかかる番号変更通知方法における第１の交換機及び第２の交換機の概略構成を示すブロック図
【図１２】第１の実施形態にかかる番号変更通知方法における第１の交換機のフローチャート
【図１３】第１の実施形態にかかる番号変更通知方法における第２の交換機のフローチャート
【図１４】第１の実施形態にかかる番号変更通知方法におけるデータ構成例
【図１５】第２の実施形態にかかる番号変更通知方法における第１の交換機及び第２の交換機の概略構成を示すブロック図
【図１６】第２の実施形態にかかる番号変更通知方法における第２の交換機のフローチャート
【図１７】第２の実施形態にかかる番号変更通知方法におけるデータ構成例
【図１８】第３の実施形態にかかる番号変更通知方法における電話機と交換機の関係を示す図
【図１９】第３の実施形態にかかる番号変更通知方法における第１の交換機の概略構成を示すブロック図
【図２０】第３の実施形態にかかる番号変更通知方法における第１の交換機のフローチャート
【図２１】第３の実施形態にかかる番号変更通知方法におけるデータ構成例
【図２２】第４の実施形態にかかる番号変更通知方法における第１の交換機の概略構成を示すブロック図
【図２３】第４の実施形態にかかる番号変更通知方法における第１の交換機のフローチャート
【図２４】第４の実施形態にかかる番号変更通知方法におけるデータ構成例
【図２５】第１の参考例にかかる番号変更通知方法における第１の交換機及び第２の交換機の概略構成を示すブロック図
【図２６】第１の参考例にかかる番号変更通知方法における第２の交換機のフローチャート
【図２７】第２の参考例にかかる番号変更通知方法における第１の交換機、第２の交換機、及び第３の電話機の概略構成を示すブロック図
【図２８】第２の参考例にかかる番号変更通知方法における第３の電話機のフローチャート
【図２９】第３の参考例にかかる番号変更通知方法における第１の交換機及び第２の交換機の概略構成を示すブロック図
【図３０】第３の参考例にかかる番号変更通知方法における第２の交換機のフローチャート
【図３１】コンピュータ環境の例
【符号の説明】
【００９１】
１０２、３０２、４０２  第１の交換機
１０４、２０４、５０４、７０４  第２の交換機
１０６  第３の交換機
１１２  第１の電話機
１１４、３１４  第２の電話機
１１６、６１６  第３の電話機
１０８  通信ネットワーク
３２２、４２２  番号変更通知用記憶部
１２２  第１の番号変更通知用記憶部
１２４、２２４  第２の番号変更通知用記憶部
１３２、３３２  着信受付け部
１３４  着信通知先取得部
１３６  着信通知送信部
１３８  着信通知受信部
１４０、３４０  変更通知先取得部
２４２、４４２  通知先アドレス取得部
１４４、２４４、３４４、５４４、７４４  通知情報取得部
１４６、２４６、５４６、７４６  番号変更通知部
５４８  着信先変更部
６５０  電話発信部
６５２  音声受信部
６５４  メール受信部
６５６  アドレス帳更新部
７５８  広告文ストック
１７２  発信者番号、着信先番号
１７４  着信先番号
１７６  着信通知先
１７８、２７８  変更通知先
１８０  新電話番号
２８０  新電話番号、通知文
７８０  新電話番号、通知文、広告文
１８２、２８２、５８２  番号変更通知情報
２８４  通知先メールアドレス
６８６  番号変更通知（音声）
６８８  番号変更通知（メール）
７９０  広告文
【図１】
2006279138.tif 000003
【図２】
2006279138.tif 000004
【図３】
2006279138.tif 000005
【図４】
2006279138.tif 000006
【図５】
2006279138.tif 000007
【図６】
2006279138.tif 000008
【図７】
2006279138.tif 000009
【図８】
2006279138.tif 000010
【図９】
2006279138.tif 000011
【図１０】
2006279138.tif 000012
【図１１】
2006279138.tif 000013
【図１２】
2006279138.tif 000014
【図１３】
2006279138.tif 000015
【図１４】
2006279138.tif 000016
【図１５】
2006279138.tif 000017
【図１６】
2006279138.tif 000018
【図１７】
2006279138.tif 000019
【図１８】
2006279138.tif 000020
【図１９】
2006279138.tif 000021
【図２０】
2006279138.tif 000022
【図２１】
2006279138.tif 000023
【図２２】
2006279138.tif 000024
【図２３】
2006279138.tif 000025
【図２４】
2006279138.tif 000026
【図２５】
2006279138.tif 000027
【図２６】
2006279138.tif 000028
【図２７】
2006279138.tif 000029
【図２８】
2006279138.tif 000030
【図２９】
2006279138.tif 000031
【図３０】
2006279138.tif 000032
【図３１】
2006279138.tif 000033